(57)【要約】      （修正有）【課題】モジュラ・プラグの抜け防止爪は、折れ易く、折れた場合の修理が面倒である。折れた抜け防止爪に替わって、モジュラ・プラグの抜けを防止する。【解決手段】モジュラ・プラグ１０１の欠損した抜け防止爪１０２に代えて装置本体１０３のプラグ挿入部１０４からの上記モジュラ・プラグ１０１の抜けを防止する代替爪２と、該代替爪２を上記モジュラ・プラグ１０１に組み付ける取付部３と、でモジュラ・プラグの抜け防止爪代替部品１を形成した。【選択図】図１
2009104906.tif 000002
【特許請求の範囲】
【請求項１】
モジュラ・プラグの欠損した抜け防止爪に代えて装置本体のプラグ挿入部からの上記モジュラ・プラグの抜けを防止する代替爪と、該代替爪を上記モジュラ・プラグに組み付ける取付部と、を備えていることを特徴とするモジュラ・プラグの抜け防止爪代替部品。
【請求項２】
上記代替爪は、上記取付部に連続する幅広部と、該幅広部の一端部に段差部を介して連続する幅狭部と、を備え、装置本体のプラグ挿入部に挿入すると、上記モジュラ・プラグ側に撓んだのちに元の位置に復帰して、上記段差部が装置本体側に係合して装置本体のプラグ挿入部からの抜けを阻止されることを特徴とする請求項１に記載のモジュラ・プラグの抜け防止爪代替部品。
【請求項３】
上記取付部は、上記代替爪の幅広部が連続する平板状のアーム部と、該板状のアーム部を上記モジュラ・プラグの外側面に沿わせて取り付けるブーツ部と、を備えていることを特徴とする請求項２に記載のモジュラ・プラグの抜け防止爪代替部品。
【請求項４】
上記代替爪は、上記平板状のアーム部の先端部に折返部を介して連設されていて、該折返部が上記モジュラ・プラグに残る折損した抜け防止爪の付け根部分に押し付けられることを特徴とする請求項３に記載のモジュラ・プラグの抜け防止爪代替部品。
【請求項５】
上記代替爪と取付部は、金属薄板を折り曲げることにより一体的に形成されていることを特徴とする請求項１〜請求項４の何れかに記載のモジュラ・プラグの抜け防止爪代替部品。
【請求項６】
装置本体のプラグ挿入部に挿入される被挿入部と、抜け防止爪の欠損したモジュラ・プラグを挿入するモジュラ・プラグ挿入部と、を備え、
上記被挿入部は、上記プラグ挿入部からの抜けを防止する代替爪と、上記装置本体側のコネクタと上記抜け防止爪の欠損したモジュラ・プラグを接続する接続端子と、を備えていることを特徴とするモジュラ・プラグの抜け防止爪代替部品。
【請求項７】
上記モジュラ・プラグ挿入部は、上記被挿入部を上記装置本体のプラグ挿入部に挿入した状態において、該プラグ挿入部の外部に突出する位置に設けられていることを特徴とする請求項６に記載のモジュラ・プラグの抜け防止爪代替部品。
【請求項８】
上記代替爪は、合成樹脂により上記被挿入部と一体にモールド成形されていることを特徴とする請求項７に記載のモジュラ・プラグの抜け防止爪代替部品。
【発明の詳細な説明】
【技術分野】
【０００１】
本発明は、電話回線を電話機に接続する場合、或いは、パーソナルコンピュータ相互を接続する場合等に使用されるモジュラ・プラグの抜け防止爪が欠損したときに、該抜け防止爪に代わる代替爪によって、モジュラ・プラグが電話機等の装置本体のプラグ挿入部からの抜け落ちるのを防止するモジュラ・プラグの抜け防止爪代替部品に関するものである。
【背景技術】
【０００２】
一般に、モジュラ・プラグには、抜け防止爪が設けられていて、モジュラ・プラグを装置本体のプラグ挿入部に挿入すると、上記抜け防止爪によってプラグ挿入部からモジュラ・プラグが容易に抜け落ちるのを防止している。
【０００３】
ところで、抜け防止爪は、アクリル系樹脂やＡＢＳ樹脂等のプラスチックで形成されているために折れ易い。そこで、上記抜け防止爪の折損を防止するために、抜け防止爪の先端を下に向けて折り曲げることにより抜け防止爪の先端が他のものに引っ掛かり難くしたり、抜け防止爪の周辺に突起を設けて抜け防止爪の先端が他のものに引っ掛かり難くしたり、或いは、抜け防止爪をブーツ（スリーブ）や庇で覆って折れないように保護している。（例えば、特許文献１参照）。
【特許文献１】特開２００３−２６４０２６号公報
【発明の開示】
【発明が解決しようとする課題】
【０００４】
しかし、上述のような防護手段を講じても、依然として抜け防止爪の折損事故は発生する。抜け防止爪が折れた侭の状態で、モジュラ・プラグを使用した場合に、モジュラ・プラグが装置本体のプラグ挿入部から抜け落ちてしまう。
【０００５】
モジュラ・プラグが抜け落ちるのを防止する方法として、先ず考えられるのは、折れた部分を接着剤等で付け直すことであるが、接着剤等で付け直した場合には、接着部分で再度、折れ易い。また、折れた部分を紛失した場合は、適用できない。
【０００６】
次に、考えられるのは、抜け防止爪が折れたモジュラ・プラグに代えて、新品のモジュラ・プラグをケーブルに付け替えることであるが、新品のモジュラ・プラグをケーブルに接続するのには、専用の工具や専門的な知識を必要とし、誰にでも簡単、容易にできるものではない。
【０００７】
そこで、専用の工具や専門的な知識が無い場合には、折れたモジュラ・プラグを有するケーブル全体を廃棄し、新品のモジュラ・プラグ付きケーブルを使用する方法が採られているが、この場合には、ケーブルまでが無駄になってしまうという問題点があった。
【０００８】
本発明の目的は、抜け防止爪が折れたモジュラ・プラグや該モジュラ・プラグに接続されているケーブルをそのまま生かし、専用の工具や専門的な知識が無い者でも、上記折れた抜け防止爪に替わる代替爪で、容易且つ確実にモジュラ・プラグの装置本体からの抜けを防止することのできるモジュラ・プラグの抜け防止爪代替部品を提供することにある。
【課題を解決するための手段】
【０００９】
請求項１の発明は、モジュラ・プラグの欠損した抜け防止爪に代えて装置本体のプラグ挿入部からの上記モジュラ・プラグの抜けを防止する代替爪と、該代替爪を上記モジュラ・プラグに組み付ける取付部と、でモジュラ・プラグの抜け防止爪代替部品を形成した。
【００１０】
請求項２の発明は、請求項１に記載のモジュラ・プラグの抜け防止爪代替部品において、上記代替爪を、上記取付部に連続する幅広部と、該幅広部の一端部に段差部を介して連続する幅狭部と、で構成し、上記モジュラ・プラグの抜け防止爪代替部品をプラグ挿入部に挿入すると、上記代替爪が上記モジュラ・プラグの外側面側に撓んだのちに元の位置に復帰し、上記段差部が装置本体側に係合してプラグ挿入部からの抜けを防止した。
【００１１】
請求項３の発明は、請求項２に記載のモジュラ・プラグの抜け防止爪代替部品において、上記取付部を、上記幅広部が連続する平板状のアーム部と、該板状のアーム部を上記モジュラ・プラグの外側面に取り付けるブーツ部と、で構成した。
【００１２】
請求項４の発明は、請求項３に記載のモジュラ・プラグの抜け防止爪代替部品において、
上記代替爪を、上記平板状のアーム部の先端部に折返部を介して連設し、該折返部を上記モジュラ・プラグに残る折損した抜け防止爪の付け根部分に押し付けた。
【００１３】
請求項５の発明は、請求項１〜請求項４の何れかに記載のモジュラ・プラグの抜け防止爪代替部品において、上記代替爪と取付部を、金属薄板により一体的に形成した。
【００１４】
請求項６の発明は、モジュラ・プラグの抜け防止爪代替部品を、プラグ挿入部に挿入される装置本体への被挿入部と、抜け防止爪の欠損したモジュラ・プラグを挿入するモジュラ・プラグ挿入部と、で構成し、上記被挿入部に、上記プラグ挿入部からの抜けを防止する代替爪と、上記装置本体側のコネクタと上記抜け防止爪の欠損したモジュラ・プラグを接続する接続端子と、を設けた。また、上記モジュラ・プラグ挿入部には、挿入したモジュラ・プラグの抜けを防止するプラグ抜け防止部を設けた。
【００１５】
請求項７の発明は、請求項６に記載のモジュラ・プラグの抜け防止爪代替部品において、上記モジュラ・プラグ挿入部を、上記被挿入部を上記装置本体のプラグ挿入部に挿入した状態において、該プラグ挿入部の外部に突出する位置に設けた。
【００１６】
請求項８の発明は、請求項７に記載のモジュラ・プラグの抜け防止爪代替部品において、上記代替爪を、合成樹脂で上記被挿入部と一体にモールド成形した。
【発明の効果】
【００１７】
（１）請求項１のモジュラ・プラグの抜け防止爪代替部品は、抜け防止爪が欠損したモジュラ・プラグに取付部によって代替爪を取り付けることにより、該代替爪で装置本体のプラグ挿入部からのモジュラ・プラグの抜けを防止する。
（２）請求項２のモジュラ・プラグの抜け防止爪代替部品は、上記モジュラ・プラグを装置本体のプラグ挿入部に挿入すると、上記代替爪は、モジュラ・プラグの外側面側に撓んだのちに元の位置に復帰して、上記段差部が装置本体側に係合して装置本体のプラグ挿入部からの抜けを防止する。また、上記代替爪の幅狭部を押圧して上記モジュラ・プラグの外側面に倒すと上記段差部と装置本体側の係合が解除されて、モジュラ・プラグは、装置本体から抜き取ることが可能になる。
（３）請求項３のモジュラ・プラグの抜け防止爪代替部品は、上記ブーツ部を、上記モジュラ・プラグの外周面に嵌合することにより、代替爪を簡単、容易に上記モジュラ・プラグに取り付けることができる。
（４）請求項４のモジュラ・プラグの抜け防止爪代替部品は、上記平板状のアーム部の先端部の折返部を上記モジュラ・プラグに残る折損した抜け防止爪の付け根部分に押し付けたので、上記代替爪を恰もモジュラ・プラグの抜け防止爪を折れた部分から再生したように形成することができる。
（５）請求項５のモジュラ・プラグの抜け防止爪代替部品は、上記代替爪と取付部を、金属薄板により一体的に形成したので、プラスチック製の爪に較べて代替爪の強度アップを図ることができる。
（６）請求項６のモジュラ・プラグの抜け防止爪代替部品は、被挿入部を装置本体のプラグ挿入部に挿入し、挿入部に抜け防止爪の欠損したモジュラ・プラグを挿入するという簡単な作業で、装置本体のコネクタと、抜け防止爪の欠損したモジュラ・プラグを接続することができる。そして、上記被挿入部に設けた代替爪で装置本体のプラグ挿入部からの抜けを防止する。また、上記モジュラ・プラグ挿入部からのモジュラ・プラグの抜けをプラグ抜け防止部で防止する。
（７）請求項７のモジュラ・プラグの抜け防止爪代替部品は、上記被挿入部を上記装置本体のプラグ挿入部に挿入した状態において、該プラグ挿入部の外部に突出する位置に、上記モジュラ・プラグ挿入部を設けたので、上記装置本体のプラグ挿入部の大きさに拘束されずに、上記モジュラ・プラグを確実に挿入、保持することのできる大きさ、肉厚に上記モジュラ・プラグ挿入部を形成することができる。
（８）請求項８のモジュラ・プラグの抜け防止爪代替部品は、上記代替爪を、合成樹脂で上記被挿入部と一体にモールド成形したので、代替爪を、モジュラ・プラグの折れた抜け防止爪と略同じに形成することができる。
【発明を実施するための最良の形態】
【００１８】
図１〜図９は、第１実施形態の抜け防止爪代替部品１を示す。図１〜図４に示すように、上記抜け防止爪代替部品１は、通信用のケーブル１００に取り付けたモジュラ・プラグ１０１の欠損した抜け防止爪１０２に代えて上記モジュラ・プラグ１０１が装置本体１０３のプラグ挿入部１０４（図６参照）から抜け出るのを防止する代替爪２と、該代替爪２をモジュラ・プラグ１０１に取り付ける取付部３と、を備えている。上記代替爪２と取付部３は、一体に形成されている。
【００１９】
上記代替爪２は、幅広部（爪本体部）２ａと、該幅広部２ａの一端部に段差部（爪の係止面）２ｂを介して連続する幅狭部（爪操作部）２ｃと、を備えている。
【００２０】
上記取付部３は、平板状のアーム部３ａと、該板状のアーム部３ａを上記モジュラ・プラグ１０１の第１の側面１０１ａに沿わせて取り付けるブーツ部３ｂと、を備えている。
【００２１】
上記ブーツ部３ｂは、上記平板状のアーム部３ａが連設されていて上記モジュラ・プラグ１０１の第１の側面１０１ａに重ね合わせる第１の側面３ｃと、該第１の側面３ｃの両側部に連設されていて上記モジュラ・プラグ１０１の第２，第３の側面１０１ｂ，１０１ｃに重ね合わせる第２，第３の側面３ｄ，３ｅと、これら第２，第３の側面３ｄ，３ｅに連設されていて上記モジュラ・プラグ１０１の第４の側面１０１ｄに係止する第１，第２の係止片３ｆ，３ｇと、を備えていて、筒状の一部を長さ方向に切り欠いた形状に形成されている。
【００２２】
上記代替爪２は、上記アーム部３ａの先端に、折返部４を介して、上記モジュラ・プラグ１０１の第１の側面１０１ａに対して所定の角度θに傾斜させた状態で形成されている。
【００２３】
上記抜け防止爪代替部品１は、ＳＵＳ（ステンレススチール）等の金属薄板を所定の形状に打ち抜いた後に折り曲げることにより一体的に形成され、或いは合成樹脂によりモールド成形により一体的に形成されている。
【００２４】
図５に示すように、上記抜け防止爪代替部品１は、上記第１の係止片３ｆと第２の係止片３ｇの隙間からケーブル１００を上記第２，第３の側面３ｄ，３ｅ間に挿入して、モジュラ・プラグ１０１の側方にブーツ部３ｂを位置させる。そして、上記第２，第３の側面３ｄ，３ｅを押し広げて上記ブーツ部３を上記モジュラ・プラグ１０１の外周には嵌め付けたのちに、図１〜図４に示すように、上記平板状のアーム部３ａの先端の折返部４を上記モジュラ・プラグ１０１の欠損した抜け防止爪１０２の付け根部分１０２ａに押し当てた状態で使用される。
【００２５】
第１実施形態の抜け防止爪代替部品１は、上述のような構成であって、これを抜け防止爪の折れたモジュラ・プラグ１０１に取り付けたのち、図６に示すように、上記取付部３を摘んで、モジュラ・プラグ１０１を装置本体１０３のプラグ挿入部１０４に挿入する。
【００２６】
上記プラグ挿入部１０４は、上記代替爪２の幅狭部２cを導入する第１溝部１０５と、該第１溝部１０５に段差面１０６を介して連続し、上記代替爪２の幅広部２aを導入する第２溝部１０７と、を備えている。
【００２７】
そして、上記プラグ挿入部１０４に抜け防止爪代替部品１を挿入すると、上記幅広部２aが上記段差面１０６で押されて、代替爪２は、モジュラ・プラグ１０１側に撓む。上記モジュラ・プラグ１０１が装置本体１０３のコネクタと接触する位置まで挿入されると、上記段差面１０６による上記幅広部２aの押圧が解除されて、該幅広部２ｃは、弾性復帰して、図７に示すように、上記幅広部２aが上記段差面１０６の内端面１０６ａに係合してモジュラ・プラグ１０１の抜けを防止する。また、図７の状態において、上記代替爪２の幅狭部２ｃを押圧すると上記段差面１０６の内端面１０６ａによる上記幅広部２aの係合が解除されて、モジュラ・プラグ１０１は、引き抜き可能になる。なお、上記実施例では、取付部３をブーツ状に形成した場合を示したが、取付部３はブーツ状に限定されず、要は確実、容易に代替爪２をモジュラ・プラグ１０１に付設することができるものであれば筒状であってもその他の形状であってもよい。また、代替爪も上記実施例のものに限定されず、例えば図８，図９に示すように、代替爪２１を平板状のアーム部３ａの先端に連続する上記モジュラ・プラグ１０１の第１の側面１０１ａに対して略直角な第１の辺２２と、該第１の辺２２の先端に上記モジュラ・プラグ１０１の第１の側面１０１ａに対して所定の傾斜角度θで連続する第２の辺２３と、で構成されている。
【００２８】
上記第２の辺２３は、幅狭部２４と、該幅狭部２４に段差部２５を介して連続する幅広部２６と、を備えていて、該幅広部２６の先端部２７を上記モジュラ・プラグ１０１の欠損した抜け防止爪１０２の付け根部分１０２ａに押し当てる構成になっている。この変形例においても、当然、代替爪２１は、上記基本例の代替爪２と略同様に撓むようになっている。上記段差部２５は、基本例の代替爪２の段差部２bと同じ機能を為す。他の構成は基本例と同じである。
【００２９】
上記変形例においては、上記第１の辺２２によって、上記第２の辺２３の下方を塞いだ状態にして、該第２の辺２３に他のものが引っ掛かるのを防止する。
【００３０】
図１０〜図１３は、第２実施形態の抜け防止爪代替部品を示す。上記第１実施形態が抜け防止爪代替部品１をブーツ状に形成して、抜け防止爪の欠損したモジュラ・プラグに所謂ブーツを履かせるようにして取り付けて使用するのに対して、この第２実施形態は、抜け防止爪代替部品をアダプタ状に形成した場合を示す。
【００３１】
第２実施形態において、抜け防止爪代替部品１１は、装置本体１０３のプラグ挿入部１０４に挿入される被挿入部１２と、抜け防止爪の欠損したモジュラ・プラグ１０１を挿入するモジュラ・プラグ挿入部１３と、を備えている。
【００３２】
上記装置本体への被挿入部１２は、該被挿入部からの抜けを防止する代替爪１４と、上記装置本体側のコネクタ（図示省略）と上記抜け防止爪の欠損したモジュラ・プラグ１０１を接続する接続端子１５と、を備えている。また、上記モジュラ・プラグ挿入部１３は、挿入したモジュラ・プラグ１０１の抜けを防止するプラグ抜け防止部１６を備えている。
【００３３】
上記被挿入部１２は、合成樹脂により上記モジュラ・プラグ１０１と略同じ形状に形成されていて、抜け防止爪の欠損したモジュラ・プラグ１０１に代えて上記装置本体１０３のプラグ挿入部１０４に挿入する。
【００３４】
上記代替爪１４は、第１実施形態の代替爪２と同様に幅広部１４ａと、該幅広部１４ａの一端部に段差部１４ｂを介して連続する幅狭部１４ｃと、を備えていて、第１実施形態の代替爪２と同様の作用を為す。
【００３５】
上記接続端子１５は、一端部が上記被挿入部１２に挿入した上記装置本体１０３のコネクタに接触し、他端部が上記挿入部１３に挿入したモジュラ・プラグ１０１のコネクタに接触して、記装置本体１０３のコネクタとモジュラ・プラグ１０１のコネクタを接続する。
【００３６】
上記モジュラ・プラグ挿入部１３は、上記被挿入部１２を上記装置本体１０３のプラグ挿入部１０４に挿入した状態において、該プラグ挿入部１０４の外部に突出するように、上記被挿入部１２の一端部に連設されている。
【００３７】
上記モジュラ・プラグ挿入部１３は、断面略四角形の筒状に形成されていて、上面１３ａにモジュラ・プラグ１０１に残る欠損した抜け防止爪１０２の付け根部分１０２ａを挿入する膨出部１７を備えている。
【００３８】
上記モジュラ・プラグ１０１は、上記付け根部分１０２ａを上記膨出部１７に位置させた状態で上記モジュラ・プラグ挿入部１３内に挿入されて、コネクタが上記接続端子１５の他端部に接続される。
【００３９】
上記プラグ抜け防止部１６は、上記膨出部１７を挟むようにして上記モジュラ・プラグ挿入部１３の端面から一対のアーム１６ａ，１６ｂを上記上面１３ａと略並行に延ばすことにより形成されている。
【００４０】
上記一対のアーム１６ａ，１６ｂは、先端部に爪片１６cを備えていて、該爪片１６ｃを上記モジュラ・プラグ１０１の端面１０１ｅに係合させることにより、上記モジュラ・プラグ１０１が上記プラグ抜け防止部１６から抜け出るのを防止している。
【００４１】
第２実施形態の抜け防止爪代替部品１１は、接続端子１５をインサートした状態で上記被挿入部１２、モジュラ・プラグ挿入部１３、代替爪１４、プラグ抜け防止部１６が合成樹脂でモールド成形により一体的に形成されている。
【００４２】
第２実施形態の抜け防止爪代替部品１１は、上述のような構成であって、モジュラ・プラグ挿入部１３に抜け防止爪の欠損したモジュラ・プラグ１０１を挿入して、被挿入部１２を装置本体１０３のプラグ挿入部１０４に挿入することにより、防止爪代替部品１１の代替爪１４がモジュラ・プラグ１０１の欠損した抜け防止爪１０２と同じ抜け防止作用を為す。
【００４３】
上述のように、第２実施形態の抜け防止爪代替部品１１は、モジュラ・プラグ挿入部１３に抜け防止爪の欠損したモジュラ・プラグ１０１を抜け防止爪代替部品１１のモジュラ・プラグ挿入部１３を挿入するという簡単な作業で、抜け防止爪の欠損したモジュラ・プラグ１０１を、抜け防止爪を有するモジュラ・プラグ１０１と同じように使用することができる。
【図面の簡単な説明】
【００４４】
【図１】第１実施形態の抜け防止爪代替部品と抜け防止爪の折れたモジュラ・プラグの斜視図。
【図２】抜け防止爪代替部品をモジュラ・プラグに取り付けた状態の斜視図。
【図３】図２の平面図。
【図４】図２の正面図。
【図５】モジュラ・プラグへのブーツ部の取り付けを示す説明図。
【図６】装置本体のプラグ挿入部と第１実施形態の抜け防止爪代替部品の斜視図。
【図７】代替爪によりモジュラ・プラグの抜けが防止されている状態の説明図。
【図８】第１実施形態の抜け防止爪代替部品の変形例の平面図。
【図９】第１実施形態の抜け防止爪代替部品の変形例の正面図。
【図１０】第２実施形態の抜け防止爪代替部品と抜け防止爪の折れたモジュラ・プラグの斜視図。
【図１１】第２実施形態の抜け防止爪代替部品にモジュラ・プラグを挿入した状態の斜視図。
【図１２】図１１の平面図。
【図１３】図１１の正面図。
【符号の説明】
【００４５】
１…第１実施形態の抜け防止爪代替部品
２…代替爪
２ａ…幅広部
２ｂ…段差部
２ｃ…幅狭部
３…取付部
３ａ…平板状のアーム部
３ｂ…ブーツ部
４…平板状のアーム部の先端の折返部
１１…第２実施形態の抜け防止爪代替部品
１２…被挿入部
１３…モジュラ・プラグ挿入部
１４…代替爪
１５…接続端子
１６…プラグ抜け防止部
１００…通信用のケーブル
１０１…モジュラ・プラグ
１０２…抜け防止爪
１０３…装置本体
１０４…プラグ挿入部
【図１】
2009104906.tif 000003
【図２】
2009104906.tif 000004
【図３】
2009104906.tif 000005
【図４】
2009104906.tif 000006
【図５】
2009104906.tif 000007
【図６】
2009104906.tif 000008
【図７】
2009104906.tif 000009
【図８】
2009104906.tif 000010
【図９】
2009104906.tif 000011
【図１０】
2009104906.tif 000012
【図１１】
2009104906.tif 000013
【図１２】
2009104906.tif 000014
【図１３】
2009104906.tif 000015